(57)【要約】      （修正有）【課題】使用範囲が広く、飲食の際にも邪魔にならない、マウスシールドを提供する。【解決手段】マウスシールドは、左右に突出部が形成され、全体としてＵ字状に形成され、装着者の口元を遮蔽するように延びる本体板２０と、左右の突出部にそれぞれ設けられ、装着者の眼鏡９１のツル部が挿通される孔２２と、本体板の中央上部において装着者の鼻と接触する箇所に設けられるクッション部２１と、を備える。【選択図】図２
0003230233.tif 000002
【実用新案登録請求の範囲】
【請求項１】
左右に突出部が形成されてＵ字状に形成された本体板であって、装着者の口元を遮蔽するように延びる、本体板と、
前記左右の突出部にそれぞれ設けられた孔であって、装着者の眼鏡のツル部が挿通される孔と、
前記本体板の中央上部において鼻と接触する箇所に設けられるクッション部と、
を備える、マウスシールド。
【請求項２】
左右に突出部が形成されてＵ字状に形成された本体板であって、装着者の口元を遮蔽するように延びる、本体板と、
前記左右の突出部にそれぞれ設けられた孔であって、装着者の耳に掛けるゴム紐が挿通される孔と、
前記本体板の中央上部において鼻と接触する箇所に設けられるクッション部と、
を備える、マウスシールド。
【請求項３】
左右に突出部が形成されてＵ字状に形成された本体板であって、装着者の口元を遮蔽するように延びる、本体板と、
前記左右の突出部にそれぞれ設けられた孔であって、装着者の耳に掛けるゴム紐が挿通される孔と、
前記本体板の中央上部において鼻と接触する箇所に設けられるクッション部と、を備え、
前記本体板は、前記孔及び前記クッション部を有する上側の第１板と、前記第１板に接続されてフラップ状に揺動する第２板と、から構成される、マウスシールド。
【考案の詳細な説明】
【技術分野】
【０００１】
本考案は、飲食可能なマウスシールドに関するものである。
【背景技術】
【０００２】
コロナ禍において、会話などの際に装着者の口元を遮蔽するためのマウスシールドが知られている。例えば、不織布製のマスクは、顔面に密着して蒸れるため、長時間使用すると耳が痛くなる。一方、フェイスシールドは、吐息によって曇るうえに、顔全体を覆うために暑くなる。そこで、例えば、特許文献１には、本体２と左右それぞれにスナップボタン３、４とを備えるマウスシールドが開示されている。
【先行技術文献】
【特許文献】
【０００３】
【特許文献１】登録実用新案第３２２８０４９号公報
【考案の概要】
【考案が解決しようとする課題】
【０００４】
しかしながら、特許文献１のマウスシールドは、スナップボタン３、４をヘルメットの顎紐に掛け回して固定するものであった。そのため、ヘルメットを装着していない状態では使用できなかった。さらに、飲食の際に使用できるものではなかった。
【０００５】
そこで、本考案は、使用範囲が広く、飲食の際にも邪魔にならない、マウスシールドを提供することを目的としている。
【課題を解決するための手段】
【０００６】
前記目的を達成するために、第１の考案のマウスシールドは、左右に突出部が形成されてＵ字状に形成された本体板であって、装着者の口元を遮蔽するように延びる、本体板と、前記左右の突出部にそれぞれ設けられた孔であって、装着者の眼鏡のツル部が挿通される孔と、前記本体板の中央上部において鼻と接触する箇所に設けられるクッション部と、を備えている。
【０００７】
また、第２の考案のマウスシールドは、左右に突出部が形成されてＵ字状に形成された本体板であって、装着者の口元を遮蔽するように延びる、本体板と、前記左右の突出部にそれぞれ設けられた孔であって、装着者の耳に掛けるゴム紐が挿通される孔と、前記本体板の中央上部において鼻と接触する箇所に設けられるクッション部と、を備えている。
【０００８】
さらに、第３の考案のマウスシールドは、左右に突出部が形成されてＵ字状に形成された本体板であって、装着者の口元を遮蔽するように延びる、本体板と、前記左右の突出部にそれぞれ設けられた孔であって、装着者の耳に掛けるゴム紐が挿通される孔と、前記本体板の中央上部において鼻と接触する箇所に設けられるクッション部と、を備え、前記本体板は、前記孔及び前記クッション部を有する上側の第１板と、前記第１板に接続されてフラップ状に揺動する第２板と、から構成されている。
【考案の効果】
【０００９】
前記目的を達成するために、第１の考案のマウスシールドは、本体板と、装着者の眼鏡のツル部が挿通される孔と、クッション部と、を備えている。このような構成であれば、孔を眼鏡に挿通させることで容易に使用でき、全体が上下に揺動することで飲食の際にも邪魔にならない、マウスシールドとなる。
【００１０】
また、第２の考案のマウスシールドは、本体板と、装着者の耳に掛けるゴム紐が挿通される孔と、クッション部と、を備えている。このような構成であれば、ゴム紐を耳に掛けることで容易に使用でき、全体が上下に揺動することで飲食の際にも邪魔にならない、マウスシールドとなる。
【００１１】
さらに、第３の考案のマウスシールドは、本体板と、装着者の耳に掛けるゴム紐が挿通される孔と、クッション部と、を備え、本体板は、上側の第１板と、第１板に接続されてフラップ状に揺動する第２板と、から構成されている。このような構成であれば、ゴム紐を耳に掛けることで容易に使用でき、第２板が上下に揺動することで飲食の際にも邪魔にならない、マウスシールドとなる。
【図面の簡単な説明】
【００１２】
【図１】実施例１のマウスシールドの正面図である。
【図２】実施例１のマウスシールドの作用図である。（ａ）は通常の装着状態であり、（ｂ）は飲食中の装着状態である。
【図３】実施例２のマウスシールドの正面図である。
【図４】実施例２のマウスシールドの作用図である。（ａ）は通常の装着状態であり、（ｂ）は飲食中の装着状態である。
【考案を実施するための形態】
【００１３】
以下、本考案の実施の形態について図面を参照して説明する。ただし、以下の実施例に記載されている構成要素は例示であり、本考案の技術範囲をそれらのみに限定する趣旨のものではない。
【実施例１】
【００１４】
（構成）
まず、図１を用いて本考案のマウスシールド１の構成を説明する。本考案のマウスシールドは、図１に示すように、左右に突出部が形成されて、全体としてＵ字状に形成された本体板であって、装着者の口元を遮蔽するように延びる、本体板２０と、左右の突出部にそれぞれ設けられた孔２２、２２であって、装着者の眼鏡９１のツル部が挿通される孔２２、２２と、本体板２０の中央上部において装着者の鼻と接触する箇所に設けられるクッション部２１と、を備えている。
【００１５】
本体板２０は、可撓性を有する透明な合成樹脂（プラスチック）製の矩形の平板部材である。本体板２０は、左右に突出部が形成されており、突出部には矩形の孔２２、２２が形成されている。孔２２の大きさは、眼鏡９１のツル部が通る程度の大きさとされる。孔２２、２２は、後述するように、マウスシールド１の全体が揺動する際の支点となる。
【００１６】
クッション部２１は、ウレタン等の柔軟性を有する素材から構成されており、鼻と接触する本体板２０の中央上部の背面側に設置されている。このため、装着者の快適性を向上させるとともに、所定の厚みがあることで本体板２０をより上方に保持する機能も有する。
【００１７】
（作用）
次に、本実施の例のマウスシールド１の作用について説明する。以下、図２（ａ）を用いて通常の装着状態について説明し、図２（ｂ）を用いて飲食中の装着状態について説明する。
【００１８】
通常の装着状態は、図２（ａ）に示すように、左右の孔２２、２２に眼鏡９１のツル部が挿通されるとともに、クッション部２１と鼻が接することで、三点支持された状態となっている。この状態では、マウスシールド１（の本体板２０）は、口元から離れており、会話を妨げることはない。同時に、正面は遮蔽した状態となっているため、飛沫の飛散を防止する役割を有している。
【００１９】
飲食中の装着状態は、図２（ｂ）に示すように、コップＣや手によって、本体板２０が上方に押し上げられた状態となる。すなわち、マウスシールド１の本体板２０は、孔２２、２２を支点として、上向きに揺動されている。このため、マウスシールド１（の本体板２０）は、口元から大きく離れることとなり、装着者の飲食を妨げることがない。同時に、正面はほぼ遮蔽した状態となっているため、飛沫の飛散を防止する役割を有している。
【００２０】
すなわち、本実施例のマウスシールド１であれば、飲食時以外の通常の状態でウイルスの感染を防止できるうえに、飲食中にはマウスシールド１が全体的に上方に揺動することで口元を遮蔽することでウイルスの感染を防止できる。さらに、眼鏡９１のツル部を孔２２に挿入するだけでマウスシールド１を装着することができるため、装着のための大掛かりな構造は必要ない。
【実施例２】
【００２１】
以下、図３、４を用いて、実施例１とは別の形態のマウスシールド１Ａについて説明する。なお、前記実施の形態で説明した内容と同一乃至均等な部分の説明については同一符号を付して説明する。
【００２２】
（構成）
まず構成について説明すると、本実施例のマウスシールド１Ａは、図３に示すように、左右に突出部が形成されてＵ字状に形成された本体板３０であって、装着者の口元を遮蔽するように延びる、本体板３０と、左右の突出部にそれぞれ設けられた孔３１ａ、３１ａであって、装着者の耳に掛けるゴム紐３５、３５が挿通される孔３１ａ、３１ａと、本体板３０の中央上部において鼻と接触する箇所に設けられるクッション部３４と、を備えており、本体板３０は、孔３１ａ、３１ａ及びクッション部３４を有する上側の第１板３１と、第１板３１に接続されてフラップ状に揺動する第２板３２と、から構成されている。
【００２３】
本体板３０は、可撓性を有する透明な合成樹脂（プラスチック）製の平板部材である。そして、本実施例の本体板３０は、上側の第１板３１と、下側の第２板３２と、から中折れ式に構成されている。
【００２４】
このうち第１板３１は、ゴム紐３５、３５が挿通される孔３１ａ、３１ａと、本体板３０の中央上部において鼻と接触する箇所に設けられるクッション部３４と、を有している。また、第２板３２は、第１板３１に透明テープ３３を介して連結されており、フラップ状に揺動するようになっている。
【００２５】
クッション部３４は、ウレタン等の柔軟性を有する素材から構成されており、鼻と接触する本体板３０（第１板３１）の中央上部に設置されている。このため、装着者の快適性を向上させるとともに、所定の厚みがあることで本体板３０（第１板３１）をより上方に保持する機能も有する。
【００２６】
（作用）
次に、本実施の例のマウスシールド１Ａの作用について説明する。以下、図４（ａ）を用いて通常の装着状態について説明し、図４（ｂ）を用いて飲食中の装着状態について説明する。
【００２７】
通常の装着状態は、図４（ａ）に示すように、ゴム紐３５が装着者の耳に掛けられるとともに、クッション部３４と鼻が接することで、三点支持された状態となっている。この状態では、マウスシールド１Ａ（の第２板３２）は、口元から離れており、会話を妨げることはない。同時に、正面は遮蔽した状態となっているため、飛沫の飛散を防止する役割を有している。
【００２８】
飲食中の装着状態は、図４（ｂ）に示すように、コップＣや手によって、本体板３０の第２板３２が少し上方に押し上げられた状態となる。すなわち、マウスシールド１Ａの第２板３２は、第１板３１との接合線を支点として、少し上向きに揺動されている。このため、マウスシールド１Ａ（の第２板３２）は、口元から大きく離れることとなり、装着者の飲食を妨げることがない。同時に、正面はほぼ遮蔽した状態となっているため、飛沫の飛散を防止する役割を有している。
【００２９】
すなわち、本実施例のマウスシールド１Ａであれば、飲食時以外の通常の状態でウイルスの感染を防止できるうえに、飲食中には第２板３２が揺動することで口元を遮蔽することでウイルスの感染を防止できる。さらに、ゴム紐３５を耳に掛けるだけでマウスシールド１Ａを装着することができるため、装着のための大掛かりな構造は必要ない。
【００３０】
なお、この他の構成および作用効果については、前記実施の形態と略同様であるため説明を省略する。
【００３１】
以上、図面を参照して、本考案の実施例を詳述してきたが、具体的な構成は、この実施例に限らず、本考案の要旨を逸脱しない程度の設計的変更は、本考案に含まれる。
【００３２】
例えば、実施例１では、本体板２０に孔２２、２２を設けて眼鏡９１のツル部が直接に挿通されて位置決めされる場合について説明したが、これに限定されるものではない。図示しないが、実施例２と同様に、本体板２０の孔（２２、２２）にゴム紐を取り付けて眼鏡９１のツル部が挿通されるようにしてもよい。
【００３３】
すなわち、別形態のマウスシールドとして、
「左右に突出部が形成されてＵ字状に形成された本体板であって、装着者の口元を遮蔽するように延びる、本体板と、
前記左右の突出部にそれぞれ設けられた孔であって、装着者の耳に掛けるゴム紐が挿通される孔と、
前記本体板の中央上部において鼻と接触する箇所に設けられるクッション部と、
を備える、マウスシールド。」とすることもできる。
【符号の説明】
【００３４】
Ｃ          コップ
１、１Ａ    マウスシールド
２０        本体板
２１        クッション部
２２        孔
９１        眼鏡
３０        本体板
３１        第１板
３１ａ      ゴム孔
３２        第２板
３３        透明テープ
３４        クッション部
３５        ゴム
【図１】
0003230233.tif 000003
【図２】
0003230233.tif 000004
【図３】
0003230233.tif 000005
【図４】
0003230233.tif 000006